(57)【要約】      （修正有）【課題】レールブラケットの溶接固定時に発生する火花や火玉等からエレベータ機器類を保護することができるエレベータの据付治具を及びエレベーターの据付方法を提供する。【解決手段】エレベータの昇降路固定体に固定されてガイドレール１を支持するレールブラケット又は昇降路固定体に設けられた掛止装置と、この掛止装置に掛止され、レールブラケットの溶接固定時に、溶接固定されるレールブラケットの下方に布設される耐火シート８とを備え、溶接固定されるレールブラケットの下方に位置するガイドレール１の周囲を取り囲むように上記耐火シート８を配置する。【選択図】図２
2006182484.tif 000002
【特許請求の範囲】
【請求項１】
エレベータの昇降路固定体に固定されてガイドレールを支持するレールブラケット又は前記昇降路固定体に設けられた掛止装置と、この掛止装置に掛止され、前記レールブラケットの溶接固定時に、溶接固定される前記レールブラケットの下方に布設される耐火シートとを備えたことを特徴とするエレベータの据付治具。
【請求項２】
耐火シートは、溶接固定されるレールブラケットの下方に位置するガイドレールの周囲を取り囲むように配置されたことを特徴とする請求項１に記載のエレベータの据付治具。
【請求項３】
耐火シートは、一側に開口する第一切欠きが形成された第一耐火シートと、一側に開口する第二切欠きが形成され、前記第二切欠きが前記第一切欠きに対して所定の角度を有するように前記第一耐火シートに載置された第二耐火シートとを備えるとともに、前記第一切欠き内及び前記第二切欠き内にガイドレールが配置されたことを特徴とする請求項２に記載のエレベータの据付治具。
【請求項４】
第一耐火シートには、中空部を有する筒状芯金と、この筒状芯金の中空部に抜差し可能な棒状芯金とが、第一切欠きを間に挟んで設けられたことを特徴とする請求項３に記載のエレベータの据付治具。
【請求項５】
掛止装置は、レールブラケット又は昇降路固定体に着脱自在に設けられたことを特徴とする請求項１から請求項４の何れかに記載のエレベータの据付治具。
【請求項６】
耐火シートは、昇降路内を昇降する移動作業床に着脱自在に設けられたことを特徴とする請求項１から請求項４の何れかに記載のエレベータの据付治具。
【請求項７】
レールブラケット又は昇降路固定体に設けられた掛止装置に耐火シートを掛止して、溶接する前記レールブラケットの下方に前記耐火シートを布設するステップと、前記レールブラケットを溶接するステップと、前記レールブラケットの溶接後、前記耐火シートを取り外し、次の溶接場所に移動させるステップとを備えたことを特徴とするエレベータの据付方法。
【請求項８】
掛止装置をレールブラケット又は昇降路固定体に固定するステップと、前記掛止装置に耐火シートを掛止して、溶接する前記レールブラケットの下方に前記耐火シートを布設するステップと、前記レールブラケットを溶接するステップと、前記レールブラケットの溶接後、前記掛止装置と前記耐火シートとを取り外し、次の溶接場所に移動させるステップとを備えたことを特徴とするエレベータの据付方法。
【請求項９】
昇降路内を昇降する移動作業床に耐火シートを取り付けるステップと、レールブラケット又は昇降路固定体に設けられた掛止装置に耐火シートを掛止して、溶接する前記レールブラケットの下方に前記耐火シートを布設するステップと、前記レールブラケットを溶接するステップと、前記レールブラケットの溶接後、前記耐火シートを前記移動作業床とともに次の溶接場所に移動させるステップとを備えたことを特徴とするエレベータの据付方法。
【発明の詳細な説明】
【技術分野】
【０００１】
この発明は、エレベータの据付時、特にガイドレールの据付時に使用する据付治具とこの据付治具を使用したエレベータの据付方法に関するものである。
【背景技術】
【０００２】
エレベータのかごを案内するかご用ガイドレールと釣合い重りを案内する釣合い重り用ガイドレールとは、昇降路壁や昇降路梁等の昇降路固定体に設けられたレールブラケットにレールクリップ等を介して固定されており、かご及び釣合い重りの昇降可能範囲に渡って立設されている。各ガイドレールを支持する上記レールブラケットは、昇降路寸法やエレベータの種類等に合わせて種々のものが存在するが、エレベータの据付時における各ガイドレールの芯出し調整等の作業を容易にするため、一般に複数の部材により構成されており、ガイドレールの各調整後、レールブラケットの各部材は溶接により固定されている。
【０００３】
また、ガイドレール固定装置の従来技術として、つなぎ梁の水平幅寸法より長寸の水平面をもつ両側固定金具をつなぎ梁の上面両側に設けることにより、両側固定金具上でレール固定金具の水平方向の位置調整を行い、位置調整後、両側固定金具とレール固定金具とを溶接固定するものが開示されている（例えば、特許文献１参照）。
【０００４】
【特許文献１】実公平４−４２２９９号公報
【発明の開示】
【発明が解決しようとする課題】
【０００５】
特許文献１記載のものを含め各ガイドレールの据付時には、レールブラケットを固定するため、溶接作業が行われるのが一般的である。しかし、溶接作業時に発生する火花や溶融した火玉が、既に据付の完了しているエレベータ機器類の上に落下し、その外装を損傷させてしまうことがあった。特に電線の被覆材は熱に弱いため、冷却速度が遅い火玉が電線の被覆材に落下すると、被覆材が溶けて電線が露出することがあった。かかる場合には、損傷した機器類や電線の交換等が必要となり、作業性が悪化する要因となっていた。
【０００６】
この発明は、上述のような課題を解決するためになされたもので、その目的は、レールブラケットの溶接固定時に発生する火花や火玉等からエレベータ機器類を保護することができるエレベータの据付治具及びエレベータの据付方法を提供することである。
【課題を解決するための手段】
【０００７】
この発明に係るエレベータの据付治具は、エレベータの昇降路固定体に固定されてガイドレールを支持するレールブラケット又は昇降路固定体に設けられた掛止装置と、この掛止装置に掛止され、レールブラケットの溶接固定時に、溶接固定されるレールブラケットの下方に布設される耐火シートとを備えたものである。
【０００８】
また、この発明に係るエレベータの据付方法は、レールブラケット又は昇降路固定体に設けられた掛止装置に耐火シートを掛止して、溶接するレールブラケットの下方に耐火シートを布設するステップと、レールブラケットを溶接するステップと、レールブラケットの溶接後、耐火シートを取り外し、次の溶接場所に移動させるステップとを備えたものである。
【発明の効果】
【０００９】
この発明は、エレベータの昇降路固定体に固定されてガイドレールを支持するレールブラケット又は昇降路固定体に設けられた掛止装置と、この掛止装置に掛止され、レールブラケットの溶接固定時に、溶接固定されるレールブラケットの下方に布設される耐火シートとを備える構成としたことで、レールブラケットの溶接固定時に発生する火花や火玉等からエレベータ機器類を保護することができる。
【発明を実施するための最良の形態】
【００１０】
この発明をより詳細に説明するため、添付の図面に従ってこれを説明する。なお、各図中、同一又は相当する部分には同一の符号を付しており、その重複説明は適宜に簡略化ないし省略する。
【００１１】
実施の形態１．
図１はこの発明の実施の形態１におけるエレベータ据付時の状態を示す昇降路縦断面図、図２はこの発明の実施の形態１におけるエレベータの据付治具の斜視図である。図１及び図２において、エレベータのかごを案内するかご用ガイドレール及び釣合い重りを案内する釣合い重り用ガイドレールの各ガイドレール１は、昇降路壁に設けられたレールブラケット２に、レールクリップ（図示せず）を介して固定されている。ガイドレール１を支持するこのレールブラケット２は、昇降路壁に設けられたアンカーボルト３にその両端部が固定された略Ｌ字状を呈する固定金２ａと、この固定金２ａに溶接固定された略Ｌ字状を呈するレール側支持金具２ｂとから構成されている。なお、上記レールブラケット２は、ガイドレール１の長さや重量等に基づき、かごや釣合い重りの昇降可能範囲に渡り所定間隔毎に配置されている。また、図１では、レールブラケット２が昇降路壁に固定されている場合が示されているが、レールブラケット２は、昇降路壁に限らず、昇降路梁等の昇降路固定体に強固に固定されていれば良い。
【００１２】
また、４はレールブラケット２の溶接固定時に発生する火花や火玉から、電線等のエレベータ機器類を保護する溶接火花受け装置である。この溶接火花受け装置４は、ガイドレール１の据付時に行われるレールブラケット２の溶接作業の際に使用されるものであり、溶接作業を行うレールブラケット２の下方に適時取り付けられる。なお、その構成及び使用方法等の詳細については後述する。
【００１３】
次に、ガイドレール１の据付作業について説明する。
エレベータの据付時、昇降路５内には底部５ａから仮設足場６が組み立てられており、作業者７は、仮設足場６の足場板６ａ上においてガイドレール１の据付作業を行う。作業者７は、先ず、固定金２ａの上面が所定の水平度を有するように配置し、この固定金２ａをアンカーボルト３及びナット（図示せず）により昇降路壁に強固に固定する。次に、レール側支持金具２ｂを固定金２ａ上に載置し、このレール側支持金具２ｂを固定金２ａにハンドバイス（図示せず）等を使用して仮固定する。レール側支持金具２ｂの仮固定後、このレール側支持金具２ｂの側面にガイドレール１をレールクリップによって取り付ける。その後、ガイドレール１の芯出し調整を行い、ガイドレール１の位置を決定する。
【００１４】
ガイドレール１の芯出し調整終了後、レール側支持金具２ｂを固定金２ａに溶接固定する前に、作業者７は、溶接火花受け装置４を溶接作業場所の下方に取り付ける。この溶接火花受け装置４は、その中央部に一側に開口する切欠き８ａ（第一切欠き）が形成された略凹字状を呈する第一耐火シート８と、この第一耐火シート８よりも小さく、その中央部に一側に開口する切欠き９ａ（第二切欠き）が形成された略凹字状を呈する第二耐火シート９とが備えられている。上記第一耐火シート８には、切欠き８ａを間に挟んで一側に中空部を有する筒状芯金８ｂが、また、他方にこの筒状芯金８ｂの中空部に抜差し可能な棒状芯金８ｃが、第一耐火シート８を広げた際に略一直線状となるように設けられている。また、第一耐火シート８の筒状芯金８ｂ及び棒状芯金８ｃ、並びに、筒状芯金８ｂと棒状芯金８ｃとの反対側両端部には、それぞれ吊索８ｄ乃至８ｇが連結されている。
【００１５】
上記溶接火花受け装置４を取り付ける場合、作業者７は、先ず、溶接固定するレール側支持金具２ｂと固定金２ａとの下方に、第一耐火シート８を布設する。この時、作業者７は、第一耐火シート８の筒状芯金８ｂにその一端部が嵌合している棒状芯金８ｃを筒状芯鉄８ｂから抜き取り、切欠き８ａ内にガイドレール１を配置して、再度棒状芯金８ｃを筒状芯金８ｂに差し込む。次に、一直線状となった筒状芯金８ｂと棒状芯金８ｃとにそれぞれ設けられた吊索８ｄ及び８ｅを、昇降路壁に設けられた掛金１０（掛止装置）に掛止する。さらに、第一耐火シート８の反昇降路壁側両端部に設けられた吊索８ｆ及び８ｇを、第一耐火シート８が大きく広がるように仮設足場６等に固定するとともに、溶接場所の直下部に第一耐火シート８の中央部が位置するように全体を配置する。
【００１６】
第一耐火シート８の取付後、第一耐火シート８上に第二耐火シート９をガイドレール１の位置に合わせて載置する。ここで、第二耐火シート９の切欠き９ａ内にガイドレール１を配置するとともに、第一耐火シート８に形成された切欠き８ａが第二耐火シート９によって最大限覆われるように、第二耐火シート９の切欠き９ａが第一耐火シート８の切欠き８ａに対して所定の角度を有するように配置する。なお、溶接作業時に溶接火花受け装置４の下方に落下する火花や火玉を可能な限り少なくするため、第一耐火シート８と第二耐火シート９とにより溶接場所の下方に位置するガイドレール１の周囲が取り囲まれるように、第二耐火シート９を第一耐火シート８に載置すれば良い。図２においては、切欠き８ａ及び９ａとが直交するように載置された場合が示されている。
【００１７】
溶接火花受け装置４の設置完了後、作業者７はレール側支持金具２ｂと固定金具２ａとを溶接固定する。また、溶接作業の終了後、作業者７は、次の溶接作業場所に移動するため、溶接火花受け装置４の取り外し作業を行う。即ち、第二耐火シート９を第一耐火シート８上から取り除き、吊索８ｄ及び８ｅを掛金１０から外す。次に、第一耐火シート８の棒状芯金８ｃを筒状芯金８ｂから抜き取り、吊索８ｆ及び８ｇを仮設足場６から取り外す。なお、作業者７は、上記作業を昇降路５の全長に渡って順次行い、ガイドレール１をかご又は釣合い重りの昇降可能範囲に渡って昇降路壁に固定する。
【００１８】
この発明の実施の形態１によれば、レールブラケット２の溶接固定時に発生する火花や溶融した火玉を、溶接場所の近傍直下部に取り付けた溶接火花受け装置４により受け止めることができるため、火花等が溶接火花受け装置４より下方に落下することがない。したがって、溶接固定時に既にエレベータ機器類の一部が昇降路５内に据え付けられている場合でも、溶接時に発生する火花等から電線等のエレベータ機器類を確実に保護することが可能となる。
【００１９】
なお、この発明の実施の形態１では、レールブラケット２の固定金２ａがアンカーボルト３により昇降路壁に固定されている場合が示されているが、固定金２ａを昇降路梁等に溶接により固定する場合には、上記溶接火花受け装置４を溶接箇所の下方に取り付けることで、実施の形態１と同様の効果を奏することができる。
【００２０】
実施の形態２．
図３は、この発明の実施の形態２におけるエレベータの据付治具の斜視図である。図３において、第一耐火シート８の筒状芯金８ｂと棒状芯金８ｃとにそれぞれ設けられた吊索８ｄ及び８ｅは、レールブラケット２の固定金２ａに着脱自在に設けられた掛止装置により掛止されている。この掛止装置は、固定金２ａ等のレールブラケット２や昇降路梁等の昇降路固定体に磁石等によって着脱自在に固定される固定部１１ａと、この固定部１１ａの下部に設けられ、吊索８ｄ及び８ｅが掛止されるフック１１ｂとから構成されている。この掛止装置を使用して溶接火花受け装置４を取り付ける場合、作業者７は、第一耐火シート８を溶接場所の下方に布設する前に、レールブラケット２又は昇降路固定体の適当な場所に掛止装置を固定する。なお、掛止装置は着脱自在に構成されているため、溶接作業終了後に取り外し、次の溶接作業場所で再度適当な場所に取り付けることが可能である。
【００２１】
かかる構成を有することにより、実施の形態１の掛金１０のような掛止装置を予め昇降路固定体に設置しておく必要がなく、施工時間を大幅に短縮することが可能となる。また、掛止装置は着脱自在に構成されているため、溶接火花受け装置４を設置場所に合わせて任意の場所に取り付けることができ、種々の溶接作業場所で使用することが可能となる。なお、着脱自在の掛止装置を複数用意し、第一耐火シート８の反昇降路壁側両端部に設けられた吊索８ｆ及び８ｇも、仮設足場６等に固定した掛止装置により掛止しても良い。その他は、実施の形態１と同様の構成及び効果を有する。
【００２２】
実施の形態３．
図４はこの発明の実施の形態３におけるエレベータ据付時の状態を示す昇降路平面図、図５はこの発明の実施の形態３におけるエレベータの据付治具の斜視図である。図４及び図５において、エレベータの据付時、昇降路５内には、昇降路５内を昇降する移動作業床１２が設けられており、作業者７は、この移動作業床１２上においてガイドレール１の据付作業を行う。この移動作業床１２は、巻上機の駆動綱車（図示せず）に巻き掛けられた吊ロープ１３により懸吊されており、駆動綱車の回動に連動して昇降路５内を昇降するように構成されている。
【００２３】
移動作業床１２上の作業者７が溶接火花受け装置４を取り付ける場合、作業者７は、先ず、レールブラケット２又は昇降路固定体の適当な場所に掛止装置を固定し、第一耐火シート８の吊索８ｄ及び８ｅを掛止装置のフック１１ｂに掛止する。次に、第一耐火シート８を溶接場所の下方に布設し、その反昇降路壁側を移動作業床１２に取り付ける。ここで、第一耐火シート８の反昇降路壁側端部には、鉤状を呈する複数の取付金８ｈが設けられており、作業者７は、この取付金８ｈを移動作業床１２の手摺１２ａに掛止することにより第一耐火シート８を固定する。
【００２４】
また、溶接終了後に次の溶接作業場所に移動する場合には、作業者７は、先ず、第二耐火シート９を第一耐火シート８上から取り除き、吊索８ｄ及び８ｅを掛止装置から取り外す。また、掛止装置を固定金２ａ等から取り外す。ここで、作業者７は、第一耐火シート８を移動作業床１２の手摺１２ａに垂らし、第一耐火シート８を移動作業床１２に設けた状態のまま、移動作業床１２を次の溶接場所へ移動させる。かかる構成を有することにより、ガイドレール１の据付作業時間を大幅に短縮することが可能となる。即ち、実施の形態１における吊索８ｆ及び８ｇの取り付け及び取り外しの時間を省くことができるとともに、第一耐火シート８の反昇降路壁側の高さ調整を移動作業床１２の高さ調整で行うことができるようになる。なお、その他は実施の形態２と同様の構成及び効果を有する。
【図面の簡単な説明】
【００２５】
【図１】この発明の実施の形態１におけるエレベータ据付時の状態を示す昇降路縦断面図である。
【図２】この発明の実施の形態１におけるエレベータの据付治具の斜視図である。
【図３】この発明の実施の形態２におけるエレベータの据付治具の斜視図である。
【図４】この発明の実施の形態３におけるエレベータ据付時の状態を示す昇降路平面図である。
【図５】この発明の実施の形態３におけるエレベータの据付治具の斜視図である。
【符号の説明】
【００２６】
１  ガイドレール
２  レールブラケット
２ａ  固定金
２ｂ  レール側支持金具
３  アンカーボルト
４  溶接火花受け装置
５  昇降路
５ａ  底部
６  仮設足場
６ａ  足場板
７  作業者
８  第一耐火シート
８ａ、９ａ  切欠き
８ｂ  筒状芯金
８ｃ  棒状芯金
８ｄ、８ｅ、８ｆ、８ｇ  吊索
８ｈ  取付金
９  第二耐火シート
１０  掛金
１１ａ  固定部
１１ｂ  フック
１２  移動作業床
１２ａ  手摺
１３  吊ロープ
【図１】
2006182484.tif 000003
【図２】
2006182484.tif 000004
【図３】
2006182484.tif 000005
【図４】
2006182484.tif 000006
【図５】
2006182484.tif 000007